(57)【特許請求の範囲】
【請求項１】
通信網を管理する網管理装置の管理の下で、各通信端末装置が前記通信網を介して所望の相手端末と通信することができるる通信システムにおいて、
前記通信端末装置は、
特定発呼を行う特定発呼手段を有し、
前記網管理装置は、
前記通信端末装置の特定発呼手段からの特定発呼を検出する特定発呼検出手段と、
この特定発呼検出手段で前記通信端末装置からの特定発呼を検出すると、当該通信端末装置の所在位置に係る位置情報を特定連絡先へ送信する送信手段と、
を有することを特徴とする通信システム。
【請求項２】
前記特定発呼手段は、特定発呼のための操作子を有することを特徴とする請求項１記載の通信システム。
【請求項３】
前記特定発呼手段の特定発呼は、特定電話番号への発呼であることを特徴とする請求項１または２記載の通信システム。
【請求項４】
前記特定発呼検出手段は、前記通信端末装置が特定発呼サービスの契約者か否かを判別する判別手段を有し、
前記送信手段は、特定発呼を行った通信端末装置が前記判別手段により契約者であると判別された場合に、その通信端末装置の所在位置に係る位置情報を特定連絡先へ送信することを特徴とする請求項１乃至３の何れかに記載の通信システム。
【請求項５】
前記位置情報は、住所情報であることを特徴とする請求項１乃至４の何れかに記載の通信システム。
【請求項６】
前記送信手段は、前記位置情報とともにその位置に対応する地図情報を送信することを特徴とする請求項1乃至４の何れかに記載の通信システム。
【請求項７】
通信網を管理する網管理装置において、
前記通信網を介して通信端末装置からの特定発呼を検出する特定発呼検出手段と、
この特定発呼検出手段で特定発呼を検出すると、前記通信端末装置の所在位置に係る位置情報を特定連絡先へ送信する送信手段と
を有することを特徴とする網管理装置。
【請求項８】
前記特定発呼検出手段は、前記通信端末装置が特定発呼サービスの契約者か否かを判別する判別手段を有し、
前記送信手段は、特定発呼を行った通信端末装置が前記判別手段により契約者であると判別された場合に、その通信端末装置の所在位置に係る位置情報を特定連絡先へ送信することを特徴とする請求項７記載の網管理装置。
【請求項９】
前記位置情報は、住所情報であることを特徴とする請求項７または８記載の網管理装置。
【請求項１０】
前記送信手段は、前記位置情報とともにその位置に対応する地図情報を送信することを特徴とする請求項７または８記載の網管理装置。
【請求項１１】
通信網を管理する網管理装置が、位置情報を記憶する記憶手段と、通信端末装置から通信網に対して特定発呼があった場合に発呼した通信端末装置の所在位置に係る位置情報を前記記憶手段から検索する検索手段とを備えた通信システムにおいて使用される通信端末装置であって、
前記通信網に対し、自己の所在位置に係る位置情報を特定連絡先へ送信することを要求する特定発呼を行う特定発呼手段
を有することを特徴とする通信端末装置。
【請求項１２】
前記特定発呼手段は、特定発呼のための操作子を有することを特徴とする請求項１１記載の通信端末装置。
【発明の詳細な説明】
【０００１】
【産業上の利用分野】
本発明は、緊急連絡機能を有する通信システム、網管理装置および通信端末装置に関するものである。
【０００２】
【従来の技術】
最近、屋外から相手を呼出して通話ができる時分割多重方式の携帯電話が多く用いられるようになっているが、このような携帯電話は、ＰＨＰ（パーソナル・ハンディホン）の実用化により、今後さらに普及すると考えられ、その利用方法の一例として、子供や老人などが外出先で事故にあって自宅に緊急連絡を取りたいような場合の緊急連絡用として利用することも考えられている。
【０００３】
【発明が解決しようとする課題】
ところが、これまでの携帯電話システムでは、携帯電話側から自宅の電話番号を入力して通話を行うようようになるため、常に自宅電話番号を正確に記憶しておかなければならないが、子供や老人にとって、事故などによる緊急の状況下で自宅電話番号を正確に入力するのが難しく、さらには、仮に通話が行えたとしても現在自分がいる場所を正確に知らせることは、さらに難しいことであり、これらが原因で緊急連絡がいたずらに遅れるといった問題点があった。
【０００４】
本発明は、上記事情に鑑みてなされたもので、携帯電話より所望する電話番号に自動的に電話をかけることができるとともに、携帯電話の所在する位置情報も知らせることができる通信システム、網管理装置および通信端末装置を提供することを目的とする。
【０００５】
【課題を解決するための手段】
請求項１記載の発明は、通信網を管理する網管理装置の管理の下で、各通信端末装置が前記通信網を介して所望の相手端末と通信することができるる通信システムにおいて、
前記通信端末装置は、特定発呼を行う特定発呼手段を有し、
前記網管理装置は、前記通信端末装置の特定発呼手段からの特定発呼を検出する特定発呼検出手段と、この特定発呼検出手段で前記通信端末装置からの特定発呼を検出すると、当該通信端末装置の所在位置に係る位置情報を特定連絡先へ送信する送信手段とを有している。
請求項２記載の発明は、請求項１記載の発明において、前記特定発呼手段は、特定発呼のための操作子を有している。
請求項３記載の発明は、請求項１または２記載の発明において、前記特定発呼手段の特定発呼は、特定電話番号への発呼である。
請求項４記載の発明は、請求項１乃至３の何れかに記載の発明において、前記特定発呼検出手段は、前記通信端末装置が特定発呼サービスの契約者か否かを判別する判別手段を有し、前記送信手段は、特定発呼を行った通信端末装置が前記判別手段により契約者であると判別された場合に、その通信端末装置の所在位置に係る位置情報を特定連絡先へ送信する。
請求項５記載の発明は、請求項１乃至４の何れかに記載の発明において、前記位置情報は住所情報である。
請求項６記載の発明は、請求項１乃至４の何れかに記載の発明において、前記送信手段は、前記位置情報とともにその位置に対応する地図情報を送信する。
請求項７記載の発明は、通信網を管理する網管理装置において、
前記通信網を介して通信端末装置からの特定発呼を検出する特定発呼検出手段と、この特定発呼検出手段で特定発呼を検出すると、前記通信端末装置の所在位置に係る位置情報を特定連絡先へ送信する送信手段とを有している。
請求項８記載の発明は、請求項７記載の発明において、前記特定発呼検出手段は、前記通信端末装置が特定発呼サービスの契約者か否かを判別する判別手段を有し、前記送信手段は、特定発呼を行った通信端末装置が前記判別手段により契約者であると判別された場合に、その通信端末装置の所在位置に係る位置情報を特定連絡先へ送信する。
請求項９記載の発明は、請求項７または８記載の発明において、前記位置情報は住所情報である。
請求項１０記載の発明は、請求項７または８記載の発明において、前記送信手段は、前記位置情報とともにその位置に対応する地図情報を送信する。
請求項１１記載の発明は、通信網を管理する網管理装置が、位置情報を記憶する記憶手段と、通信端末装置から通信網に対して特定発呼があった場合に発呼した通信端末装置の所在位置に係る位置情報を前記記憶手段から検索する検索手段とを備えた通信システムにおいて使用される通信端末装置であって、
前記通信網に対し、自己の所在位置に係る位置情報を特定連絡先へ送信することを要求する特定発呼を行う特定発呼手段を有している。
請求項１２記載の発明は、請求項１１記載の発明において、前記特定発呼手段は、特定発呼のための操作子を有している。
【０００７】
【作用】
この結果、本発明によれば、通信端末装置側で特定の発呼を行うと、例えば緊急連絡用の特定キーを操作する等の方法での発呼を行うと、前記網管理装置がその特定発呼を検出し、前記通信端末装置の所在位置に係る位置情報を特定連絡先へ送信する。
【０００８】
【実施例】
以下、本発明の一実施例を図面に従い説明する。
図１は、同実施例の携帯電話システムの概略構成を示している。１は電話公衆網で、この電話公衆網１は、ＩＳＤＮなどから構成されている。
【０００９】
電話公衆網１には、一般家庭などの固定電話２が接続されるとともに、携帯電話用の複数（図示例では３個）の基地局３が接続されている。
この場合、携帯電話用の複数の基地局３は、携帯電話システムのサービスエリアを全てカバーできるように、サービスエリア内に分散して配置されている。そして、これら基地局３に対して携帯電話４が無線により接続されている。
【００１０】
また、電話公衆網１には、網管理局５を接続している。この網管理局５は、電話公衆網１の総合的な管理を行うもので、ここでは、携帯電話４からの位置登録に基づいて該携帯電話４と接続可能な基地局３を認識する認識手段５０、複数の基地局３の所在する住所情報を管理する住所情報管理手段５１、緊急連絡契約者を管理する緊急連絡契約者管理手段５２および通話に対する課金情報を管理する課金情報管理手段５３などを有している。
【００１１】
図２は、上述した携帯電話システムに用いられる携帯電話４の外観図を示している。
この場合、６は携帯電話本体で、この携帯電話本体６の正面には、キー入力部７および表示部８を配置している。キー入力部７は、各種機能を設定するためのキー入力を行うもので、ここでは、「０」〜「９」、「＊」、「＃」などダイヤル情報を入力する入力キー７１、発呼及び着呼を指示するフックキー７３の他に、緊急連絡の際に操作する専用キー７２を有している。表示部８は、各種制御のための入力データおよび結果などを表示するものである。
【００１２】
図３は、このような携帯電話４の概略構成を示している。
この場合、１１はアンテナで、このアンテナ１１には、高周波部１２を接続している。この高周波部１２は、周波数変換処理を行うもので、アンテナスイッチ部１２１、受信部１２２、送信部１２３およびＰＬＬシンセサイザー１２４を有している。
【００１３】
ここで、アンテナスイッチ部１２１は、アンテナ１１からの入力信号を受信部１２２に、送信部１２３からの出力信号をアンテナ１１にそれぞれ振り分けるものである。受信部１２２は、アンテナ１１からアンテナスイッチ部１２１を介して入力された受信信号を２段のミキサーにより周波数変換し、１．９ＧＨｚから１５０〜２５０ＭＨｚ、さらに１０ＭＨｚのＩＦ信号を生成するようにしている。送信部１２３は、後述するモデム１３から入力されるπ／４シフトＱＰＳＫの変調波をミキサにより１．９ＧＨｚに周波数変換し、アンテナスイッチ部１２１を介してアンテナ１１に出力するようにしている。そして、ＰＬＬシンセサイザー１２４は、受信部１２２、送信部１２３での周波数変換のための局部発振を行うものである。
【００１４】
そして、この高周波部１２にモデム１３、ＴＤＭＡ１４、スピーチコーディック１５およびＰＣＭ１６を接続し、このＰＣＭ１６にアンプ１７を介して受話側のスピーカ１８、送話側のマイクロフォン１９を接続している。
【００１５】
ここで、モデム１３は、π／４シフトＱＰＳＫの変復調処理を行うもので、受信側では、受信部１２２からのＩＦ信号を復調し、ＩＱデータに分離して、データ列としてＴＤＭＡ１４に転送し、また、送信側では、ＴＤＭＡ１４から転送されてきたデータからＩＱデータを作成し、π／４シフトのＱＰＳＫ変調をして送信部１２３に送るようにしている。
【００１６】
ＴＤＭＡ１４は、フレーム同期およびスロットのフォーマット処理を行うもので、受信側では、モデム１３から送られてきたデータ（フレーム）から所定タイミングでスロットを取り出し、スクランブルなどを解除して、このスロットのフォーマットから構成データを取り出し、制御データを後述する制御部２０に送るとともに、音声データをスピーチコーディック１５に転送し、また、送信側では、スピーチコーディック１５から転送されてくる音声データに制御データを付加してスロットを作成し、スクランブルをかけて所定タイミングでスロットをフレームに挿入しモデム１３に転送するようにしている。
【００１７】
スピーチコーディック１５は、デジタルデータの圧縮／伸張処理を行うもので、受信側では、ＴＤＭＡ１４から送られてくるＡＤＰＣＭ音声信号（４ｂｉｔ×８ＫＨｚ＝３２Ｋｂｐｓ）をＰＣＭ音声信号（８ｂｉｔ×８ＫＨｚ＝６４Ｋｂｐｓ）に復号化することにより伸張してＰＣＭ１６に出力し、送信側では、ＰＣＭ１６から送られてくるＰＣＭ音声信号をＡＤＰＣＭ音声信号に符号化することにより圧縮してＴＤＭＡ１４に送るようにしている。
【００１８】
ＰＣＭ１６は、アナログ／デジタル処理を行うもので、受信側では、スピーチコーディック１５から送られてくるＰＣＭ音声信号をＤ／Ａ変換によりアナログ信号をアンプ１７に出力してスピーカ１８を駆動し、また、送信側では、マイクロフォン１９から入力されたアナログ音声信号をＡ／Ｄ変換してＰＣＭ音声信号をスピーチコーディック１５に出力するようにしている。また、このＰＣＭ１６は、ボリューム、リンガー、トーン信号などを制御するようにもしている。
【００１９】
そして、これら高周波部１２、モデム１３、ＴＤＭＡ１４、スピーチコーディック１５およびＰＣＭ１６には、制御部２０を接続し、この制御部２０に、ＲＯＭ２１、ＲＡＭ２２、録再回路２３、メモリ２４の他に、上述したキー入力部７、表示部８を接続している。
【００２０】
ここで、ＲＯＭ２１は、制御部２０での制御プログラムを記憶したものである。また、ＲＡＭ２２は、制御部２０での制御により扱われるデータを一時記憶するとともに、上述したキー入力部７の専用キー７２の操作により読み出される緊急連絡先の電話番号を記憶するもので、ここでは、図４に示すように「０３−１２３−３４５６」を記憶している。
【００２１】
また、録再回路２３は、留守番電話として使用される際の伝言の録音再生を行うものである。メモリ２４は、留守番電話として使用される際の定型的なメッセージなどを記憶するものである。
【００２２】
次に、以上のように構成した実施例の動作を説明する。
この場合、図１に示す携帯電話システムにおける網管理局５は、携帯電話４により位置登録され、該携帯電話４と接続可能な基地局３を認識手段５０により管理し、複数の基地局３の所在する住所情報を住所情報管理手段５１により管理し、また、携帯電話４を緊急連絡契約者として緊急連絡契約者管理手段５２により管理しているものとする。
【００２３】
なお、通常網管理局５の認識手段５０で管理されている携帯電話４の位置登録情報は、相手からの着信の際に使用されるものであり、この位置登録情報に基づいて接続可能な基地局３を介して接続する。
【００２４】
まず、携帯電話４より通常の通話を行う場合は、図２に示すキー入力部７の図示しないフックキーを押下して、オフフック状態にした後、入力キー７１を使用して固定電話２に相当するダイヤル情報を入力して発呼操作を行う。すると、この発呼情報は図３に示す制御部２０より、ＴＤＭＡ１４、モデム１３に転送され、送信部１２３よりアンテナ１１を介して図１に示す基地局３に送られる。
【００２５】
そして、この基地局３を介して電話公衆網１により発呼情報に応じた着信相手が検索され、相当する例えば固定電話２に接続される。
その後、通話モードに移行し、図３に示す携帯電話４では、固定電話２側からアンテナ１１を介して通話信号が入力されると、高周波部１２よりモデム１３、ＴＤＭＡ１４、スピーチコーディック１５およびＰＣＭ１６を介して受話側スピーカ１８より音声が出力され、一方、送話側のマイクロフォン１９より通話信号が入力されると、ＰＣＭ１６よりスピーチコーディック１５、ＴＤＭＡ１４、モデム１３、高周波部１２を介してアンテナ１１から固定電話２側に対して出力される。
【００２６】
次に、図３に示す携帯電話４より緊急連絡を行う場合は、図２に示すキー入力部７の専用キー７２を押し操作すると、オフフックと共に緊急連絡情報が図３に示す制御部２０に送られる。すると、制御部２０により、ＲＡＭ２２より図４に示す緊急連絡先の電話番号「０３−１２３−３４５６」が読み出され、緊急発呼情報として、ＴＤＭＡ１４、モデム１３に転送され、送信部１２３よりアンテナ１１を介して図１に示す基地局３に送られる。この場合、携帯電話４からの発呼に対し、網管理局５の認識手段５０により携帯電話４と接続可能な基地局３が認識される。また、網管理局５により、携帯電話４の緊急発呼に対し緊急連絡契約者管理手段５２を用いて携帯電話４が緊急連絡契約者かが判断される。ここでは緊急連絡契約者なので、住所情報管理手段５１より携帯電話４に対して認識手段５０により認識された基地局３の所在する住所情報が取り出される。
【００２７】
そして、基地局３を介し電話公衆網１により発呼情報に応じた着信相手が検索され、相当する例えば固定電話２に接続されると、通話モードへの移行と同時に携帯電話４に対して認識された基地局３の所在する住所情報が固定電話２に送られるようになる。この場合、固定電話２に送られる住所情報は、音声合成された情報であってもよいし、固定電話２側が表示手段を備えていれば、文字情報であってもよい。
【００２８】
従って、このようにすれば、携帯電話４からの緊急連絡の場合、キー入力部７の専用キー７２を押し操作するのみで、緊急連絡先の電話番号が自動的に読み出され、緊急連絡先の発呼として出力されるとともに、該当携帯電話４が緊急連絡契約者かが判断され、ここで該当すると、住所情報管理手段５１より携帯電話４に対して認識された基地局３の所在する住所情報が取り出され、緊急連絡先である固定電話２に接続されると同時に、基地局３の所在する住所情報が送出されるようになるので、従来、子供や老人にとって、事故などによる緊急の状況下で自宅電話番号を正確に入力するのが難しく、さらには、仮に通話が行えたとしても現在自分がいる場所を正確に知らせることは、さらに難しいとされていたが、このような状況下においても、緊急連絡先である電話番号に自動的に電話をかけることができるとともに、携帯電話の所在するおおよその位置情報も確実に知らせることができ、緊急を要する連絡を速やかに行うことができる。
【００２９】
なお、本発明は上記実施例にのみ限定されず、要旨を変更しない範囲で適宜変形して実施できる。
例えば、位置情報だけでなく、その位置に対応する画像情報（地図情報）を送るようにしてもよい。
【００３０】
【発明の効果】
本発明によれば、通信端末装置側で特定の発呼を行うと、例えば緊急連絡用の特定キーを操作する等の方法での発呼を行うと、前記網管理装置がその特定発呼を検出し、前記通信端末装置の所在位置に係る位置情報を特定連絡先へ送信するので、子供や老人とって事故などによる緊急の状況下でも、所定の連絡先に、自己の所在位置を住所や地図の形式で正確に且つ速やかに知らせることができる。
【図面の簡単な説明】
【図１】本発明の一実施例の概略構成を示す図。
【図２】一実施例に用いられる携帯電話の外観を示す図。
【図３】一実施例に用いられる携帯電話の概略構成を示す図。
【図４】一実施例の緊急連絡先電話番号の記憶例を示す図。
【符号の説明】
１…電話公衆網、
２…固定電話、
３…基地局、
４…携帯電話、
５…網管理局、
５０…認識手段、
５１…住所情報管理手段、
５２…緊急連絡契約者管理手段、
５３…課金情報管理手段、
６…携帯電話本体、
７…キー入力部、
７１…入力キー、
７２…専用キー、
８…表示部、
１１…アンテナ、
１２…高周波部、
１２１…アンテナスイッチ部、
１２２…受信部、
１２３…送信部、
１２４…ＰＬＬシンセサイザー、
１３…モデム、
１４…ＴＤＭＡ、
１５…スピーチコーディック、
１６…ＰＣＭ、
１７…アンプ、
１８…受話側スピーカ、
１９…マイクロフォン、
２０…制御部、
２１…ＲＯＭ、
２２…ＲＡＭ、
２３…録再回路、
２４…メモリ。
【図１】
0003551455.tif 000002
【図２】
0003551455.tif 000003
【図３】
0003551455.tif 000004
【図４】
0003551455.tif 000005